(57)【要約】【課題】本発明は充填ホースに残留するガス圧の差異による流量誤差を補正すことを課題とする。【解決手段】ガス供給装置１０では、圧力発生ユニット１６とディスペンサユニット１８を有する。ディスペンサユニット１８には、流量計２２、開閉弁２４、制御弁２６、圧力センサ２８、カップリングスイッチ３２、充填開始スイッチ３４、充填停止スイッチ３６、制御回路３８、メモリ３９を有する。そして、制御回路３８は、圧力センサ２８により測定されたガス充填開始前圧力値と充填終了時点のガス充填終了圧力値との圧力差を求め、この圧力差に流量計２２より下流のガス供給管路２０及び充填ホース４０の容積を乗算して充填補正値を演算する。また、制御回路３８は、演算した充填補正量を総充填量から減算することにより、充填ホース４０の残留圧力の差異による流量誤差を補正する流量補正装置としても機能する。【選択図】        図１
2004257525.tif 000002
【特許請求の範囲】
【請求項１】
ガス供給経路に連通された充填ホースと、該充填ホースの端部に結合された充填カップリングと、前記ガス供給経路に設けられた開閉弁と、前記ガス供給経路の途中に設けられ、当該ガス供給経路を流れるガスの供給量を計測する流量計と、前記開閉弁の下流の圧力を測定する圧力測定部と、を有するガス供給装置において、
前記圧力測定部により測定されたガス充填開始前圧力値と充填終了時点のガス充填終了圧力値との圧力差を求め、この圧力差に前記流量計から前記充填カップリングまでのガス供給経路内の容積を乗算して充填量補正値を演算する充填量補正演算手段と、
前記流量計により測定されたガスの供給量と前記充填量補正演算手段により演算された充填量補正値とから前記充填カップリングから充填された充填量を演算する充填量演算手段と、
を備えてなることを特徴とするガス供給装置。
【請求項２】
ガス供給経路に連通された充填ホースと、該充填ホースに連通された充填カップリングと、前記ガス供給経路に設けられた開閉弁と、前記ガス供給経路の途中に設けられ、当該ガス供給経路を流れるガスの供給量を計測する流量計と、前記開閉弁の下流の圧力を測定する圧力測定部と、を有するガス供給装置において、
前記圧力測定部により測定されたガス充填開始前圧力値と任意に設定した圧力値との圧力差を求め、この圧力差に前記流量計から前記充填カップリングまでのガス供給経路内の容積を乗算して開始前充填量補正値を演算する充填量補正演算手段と、
前記流量計により測定されたガスの供給量と前記充填量補正演算手段により演算された充填量補正値とから前記充填カップリングから充填された充填量を演算する充填量演算手段と、
を備えてなることを特徴とするガス供給装置。
【請求項３】
ガス供給経路に連通された充填ホースと、該充填ホースに連通された充填カップリングと、前記ガス供給経路に設けられた開閉弁と、前記ガス供給経路の途中に設けられ、当該ガス供給経路を流れるガスの供給量を計測する流量計と、前記開閉弁の下流の圧力を測定する圧力測定部と、を有するガス供給装置において、
前記圧力測定部により測定された充填終了時点のガス充填終了圧力値と任意に設定した圧力値との圧力差を求め、この圧力差に前記流量計から前記充填カップリングまでのガス供給経路内の容積を乗算して終了時充填量補正値を演算する充填量補正演算手段と、
前記流量計により測定されたガスの供給量と前記充填量補正演算手段により演算された充填量補正値とから前記充填カップリングから充填された充填量を演算する充填量演算手段と、
を備えてなることを特徴とするガス供給装置。
【請求項４】
請求項１または３記載の何れかのガス供給装置であって、
前記充填量補正演算手段は、充填終了時におけるガス充填量の所定量手前から充填終了時までの間に充填量補正演算を行うことを特徴とするガス供給装置。
【請求項５】
請求項１または２記載の何れかのガス供給装置であって、
ガスの供給流量を制御するために前記ガス供給経路に設けられた制御弁と、
前記制御弁によるガスの供給流量を制御する供給量制御手段とを設け、
前記供給量制御手段は、充填終了時におけるガス充填量の所定量手前からガスの供給量を所定の流量に低下させることを特徴とするガス供給装置。
【請求項６】
請求項１または２記載の何れかのガス供給装置であって、
ガスの供給圧力を制御するために前記ガス供給経路に設けられた制御弁と、
前記制御弁によるガスの供給圧力を制御する供給圧力制御手段とを設け、
前記供給圧力制御手段は、充填終了時におけるガス充填量の所定量手前からガスの供給圧力を所定の圧力に調節することを特徴とするガス供給装置。
【請求項７】
請求項１または２記載の何れかのガス供給装置であって、
ガスの供給流量を制御するために前記ガス供給経路に設けられた制御弁と、
前記制御弁によるガスの供給流量を制御する供給量制御手段とを設け、
前記供給量制御手段は、充填終了時におけるガス充填量の所定量手前からガスの供給量を徐々に低下させることを特徴とするガス供給装置。
【請求項８】
請求項１乃至３記載の何れかのガス供給装置であって、
前記流量計から前記充填カップリングまでのガス供給経路内の容積は、前記充填カップリングを閉弁した状態を維持した状態で、前記開閉弁を閉弁している際において前記圧力測定部により計測された充填前圧力値と、当該状態において前記開閉弁を開弁させた際における前記圧力測定部により計測された充填後圧力値とから、圧力差を演算し、当該圧力差と前記充填前圧力値から前記充填後圧力値までに圧力を昇圧させた際に前記流量計で測定された供給量とに基づき求めることを特徴とするガス供給装置。
【請求項９】
請求項１乃至８記載の何れかのガス供給装置の制御方法であって、
前記充填量補正演算手段が演算した補正量を前記流量計で測定された供給量から減算することを特徴とするガス供給装置の制御方法。
【発明の詳細な説明】
【０００１】
【発明の属する技術分野】
本発明は、ガス充填終了後に充填ホース内に残留するガス残量を総充填量から補正するよう構成されたガス供給装置及びその制御方法に関する。
【０００２】
【従来の技術】
例えば、天然ガスを圧縮した圧縮天然ガス（ＣＮＧ）等を別のタンクに供給するガス供給装置としては、例えば、圧縮機、蓄ガスユニットとディスペンサユニットとを有しており、ディスペンサユニットは流量計、制御弁、圧力センサを有する（例えば、特許文献１参照）。
【０００３】
このガス供給装置では、圧縮機により所定圧以上（例えば２５ＭＰａ）に昇圧されたガスが供給源としてのガス供給タンクに貯留されている。そして、燃料供給を受ける自動車が到着すると、充填ホースの先端に設けられた充填カップリングを自動車の燃料タンク（被充填タンク）の接続部（カップリング）に結合させる。尚、自動車側の接続部は、逆止弁が内蔵されており、充填カップリングが結合され燃料タンクの圧力よりも充填ホース側圧力が大きいとき圧力差によって逆止弁が開弁する。
【０００４】
その後、充填カップリングの三方弁が切り替え操作されてガス供給タンクに貯留されたガスが充填ホース及び充填カップリングを介して自動車の燃料タンクに充填される。このとき、自動車の燃料タンクには、ガスが残っているが、ガス供給タンクの圧力（供給圧力）が燃料タンクの圧力よりも十分に大きいので、圧力差によりガス充填が行われる。
【０００５】
そして、ガス供給タンクに貯められたガスを自動車の燃料タンクに供給され燃料タンク内が所定の満タン圧（例えば、２０ＭＰａ）に達するまで充填し、充填カップリングの三方弁を切り替えることによりガス充填が終了する。
【０００６】
ガス充填が終了すると、作業者は、充填カップリングを自動車側のカップリングから分離させ、充填カップリングをカップリング収納部に収納させる。
【０００７】
また、自動車の燃料タンクへのガス供給量は、流量計により計測されており、燃料タンクに充填された総流量を知ることができ、燃料タンクに充填された圧力は圧力センサ（圧力測定手段）により測定できる。さらに、充填ホースの先端には、燃料タンクの接続部に接続される充填カップリングが設けられており、この充填カップリングはガス供給前に自動車の燃料タンクに接続され、ガス充填完了後に燃料タンクから外される。
【０００８】
ところが、充填ホース内の圧力が高圧になっていると充填カップリングを燃料タンクの接続部から外すことができない。そのため、作業者は、手動式の三方弁を切り換えて充填カップリング内のガスを大気中に放出するか、あるいはドレンタンクに回収させて充填ホース内を大気圧に減圧させる。このように、充填カップリングの減圧操作を行うことにより、上記充填カップリングを燃料タンクの接続部から外すことが可能になる。
【０００９】
【特許文献１】
特開平８−６８４９６号公報
【００１０】
【発明が解決しようとする課題】
上記構成のガス供給装置では、２台の自動車に連続して燃料タンクに満タン充填を行う場合、燃料タンクの耐圧基準値により満タン圧力が決められているので、充填ホースに残留する充填開始前圧力と今回充填終了圧力とがほぼ同一であるので、誤差が生じない。
【００１１】
しかるに、１台目の自動車に対して任意の所定圧力でプリセット充填した後に２台目の自動車に対して満タン充填を行う場合、充填ホースに残留する充填開始前圧力と今回充填終了圧力が同一でないので、誤差が生じる。
【００１２】
さらに、ガス供給装置においては、流量計が制御弁の上流にあるので、制御弁を閉弁した状態で充填カップリングを自動車の接続部に接続する場合、充填ホースに残留するガスが充填カップリングを介して自動車の燃料タンクに供給されるガス供給量を測定することができない。
【００１３】
一方、流量計で計測できるのは、今回の充填開始（開閉弁、制御弁の開弁）から今回の充填終了（開閉弁、制御弁の閉弁）までの間に供給されたガス供給量である。また、圧力センサにより検出できるのは、制御弁より下流の圧力値であり、充填ホースの圧力である。
【００１４】
従って、ガス供給装置においては、充填開始される前の充填カップリングの接続によって充填ホース内に残留していたガスがどれだけ自動車側に供給されたかを流量計で測定できず、正確なガス供給量が分からないので、充填開始前のホース残留圧力と充填終了後のホース残留圧力との圧力差による流量誤差が生じてしまうという問題がある。
【００１５】
また、充填開始される前（充填カップリングの接続前）に充填ホース内に残留していたガス圧力よりも、充填終了後のホース残留圧力が高くなった場合には、この圧力差分のガスは流量計により測定されるが自動車側に供給されないことになり流量誤差が生じてしまうという問題がある。
そこで、本発明は上記課題を解決したガス供給装置及びその制御方法を提供することを目的とする。
【００１６】
【課題を解決するための手段】
上記課題を解決するため、本発明は以下のような特徴を有する。
上記請求項１記載の発明は、圧力測定部により測定されたガス充填開始前圧力値と充填終了時点のガス充填終了圧力値との圧力差を求め、この圧力差に流量計から充填カップリングまでのガス供給経路内の容積を乗算して充填量補正値を演算する充填量補正演算手段と、流量計により測定されたガスの供給量と充填量補正演算手段により演算された充填量補正値とから充填カップリングから充填された充填量を演算する充填量演算手段と、を備えており、充填開始前圧力と充填終了時圧力に差があっても流量計から充填カップリングまでのガス供給経路内の圧力の差異による流量誤差を無くすように流量補正することが可能になる。
【００１７】
上記請求項２記載の発明は、圧力測定部により測定されたガス充填開始前圧力値と任意に設定した圧力値との圧力差を求め、この圧力差に流量計から充填カップリングまでのガス供給経路内の容積を乗算して開始前充填量補正値を演算する充填量補正演算手段と、流量計により測定されたガスの供給量と充填量補正演算手段により演算された充填量補正値とから充填カップリングから充填された充填量を演算する充填量演算手段と、を備えており、充填開始前圧力が変動しても開始前充填量補正値を求めて流量計から充填カップリングまでのガス供給経路内の圧力の差異による流量誤差を無くすように流量補正することが可能になる。
【００１８】
上記請求項３記載の発明は、圧力測定部により測定された充填終了時点のガス充填終了圧力値と任意に設定した圧力値との圧力差を求め、この圧力差に流量計から充填カップリングまでのガス供給経路内の容積を乗算して終了時充填量補正値を演算する充填量補正演算手段と、流量計により測定されたガスの供給量と充填量補正演算手段により演算された充填量補正値とから充填カップリングから充填された充填量を演算する充填量演算手段と、を備えており、充填終了時圧力が変動しても終了時充填量補正値を求めて流量計から充填カップリングまでのガス供給経路内の残留圧力の差異による流量誤差を無くすように流量補正することが可能になる。
【００１９】
上記請求項４記載の発明は、充填終了時におけるガス充填量の所定量手前から充填終了時までの間に充填量補正演算を行うものであり、流量計から充填カップリングまでのガス供給経路内の圧力の差異による流量を正確に補正することが可能になる。
【００２０】
上記請求項５記載の発明は、ガスの供給流量を制御するためにガス供給経路に設けられた制御弁と、制御弁によるガスの供給流量を制御する供給量制御手段とを設け、供給量制御手段は、充填終了時におけるガス充填量の所定量手前からガスの供給量を所定の流量に低下させるものであり、できるだけ低い流量で一定制御することによって、ディスペンサーの圧力測定部と燃料タンクとの圧力差を極力等しくし、流量計から充填カップリングまでのガス供給経路内に充填される充填量を正確に測定することができるので、充填開始前圧力と充填終了時圧力に差があっても流量を正確に補正することが可能になる。
【００２１】
上記請求項６記載の発明は、ガスの供給圧力を制御するためにガス供給経路に設けられた制御弁と、制御弁によるガスの供給圧力を制御する供給圧力制御手段とを設け、供給圧力制御手段は、充填終了時におけるガス充填量の所定量手前からガスの供給圧力を所定の圧力に調節するものであり、できるだけ小さな弁開度で一定制御することによって、ディスペンサーの圧力測定部と燃料タンクとの圧力差を極力等しくし、充填終了時における流量測定を正確に行うことで、充填終了時圧力が変動しても流量を正確に補正することが可能になる。
【００２２】
上記請求項７記載の発明は、ガスの供給流量を制御するためにガス供給経路に設けられた制御弁と、制御弁によるガスの供給流量を制御する供給量制御手段とを設け、供給量制御手段は、充填終了時におけるガス充填量の所定量手前からガスの供給量を徐々に低下させるものであり、できるだけ低い流量でディスペンサーの圧力測定部によって測定することにより燃料タンクとの圧力差を極力等しくし、充填終了時における流量測定を正確に行うことで、充填終了時圧力が変動しても流量を正確に補正することが可能になる。
【００２３】
上記請求項８記載の発明は、流量計から充填カップリングまでのガス供給経路内の容積は、充填カップリングを閉弁した状態を維持した状態で、開閉弁を閉弁している際において圧力測定部により計測された充填前圧力値と、当該状態において開閉弁を開弁させた際における圧力測定部により計測された充填後圧力値とから、圧力差を演算し、当該圧力差と充填前圧力値から充填後圧力値までに圧力を昇圧させた際に流量計で測定された供給量とに基づき求めるものであり、流量計から充填カップリングまでのガス供給経路内の容積を正確に求めて、圧力差に伴う充填量の誤差を正確に補正することが可能になる。
【００２４】
上記請求項９記載の発明は、充填量補正演算手段が演算した補正量を流量計で測定された供給量から減算するものであり、充填開始前圧力と充填終了時圧力に差があっても流量計から充填カップリングまでのガス供給経路内の圧力の差異による流量誤差を無くすように流量補正することが可能になる。
【００２５】
【発明の実施の形態】
以下、図面と共に本発明の実施の形態について説明する。
図１は本発明になるガス供給装置のシステム構成を示す構成図である。
図１中、ガス供給装置１０は、例えば自動車１２の燃料タンク（被充填容器）１４に都市ガスを所定圧力に圧縮した圧縮天然ガス（ＣＮＧ）を供給するガス供給ステーションなどに設置されている。尚、上記圧縮天然ガスは一例であり、ガス供給装置１０が扱うガスは、これに限らず圧縮されて使用される他のガスを含む。
【００２６】
ガス供給装置１０は、大略、都市ガスを所定圧力に昇圧する圧力発生ユニット１６と、圧力発生ユニット１６により圧縮されたガスを燃料タンク１４に供給するためのディスペンサユニット１８とより構成されている。
【００２７】
圧力発生ユニット１６は、中圧（家庭で使用される圧力よりも高い圧力）で給送される中圧管路（図示せず）を介して供給された都市ガスを圧縮する多段式のコンプレッサを有する。本実施例においては、上記燃料タンク１４の最高圧力が２０ＭＰａとした場合、圧力発生ユニット１６では２５ＭＰａの圧力に加圧する。
【００２８】
さらに、圧力発生ユニット１６の吐出口には、ディスペンサユニット１８のガス供給管路２０が接続されており、ガス供給管路２０には燃料タンク１４に供給されたガス供給量を測定する流量計２２と、ガス供給管路２０を開閉する開閉弁２４と、燃料タンク１４に供給されるガス圧及び流量を所定値に制御する制御弁２６と、燃料タンク１４に供給された供給ガス圧を測定する圧力センサ（圧力測定部）２８とが配設されている。
【００２９】
ディスペンサユニット１８の側面には、カップリング掛け３０が設けられており、カップリング掛け３０には、カップリングスイッチ３２が設けられている。また、ディスペンサユニット１８は、充填開始スイッチ３４、充填停止スイッチ３６が設けられている。
【００３０】
また、ディスペンサユニット１８は、上記流量計２２、開閉弁２４、制御弁２６、圧力センサ２８、カップリングスイッチ３２、充填開始スイッチ３４、充填停止スイッチ３６に電気的に接続された制御回路３８を有する。制御回路３８は、マイクロコンピュータなどからなり、後述するように開閉弁２４、制御弁２６を制御する。
【００３１】
制御回路３８は、流量計２２からの流量信号、及び圧力センサ２８からの圧力信号、及びカップリングスイッチ３２からのカップリング検出信号が入力されると共に、開閉弁２４の開弁または閉弁制御、及び制御弁２６の弁開度を調整して流量、圧力制御を行う。
【００３２】
制御回路３８のメモリ３９には、圧力センサ２８により測定されたガス充填開始前圧力値と充填終了時点のガス充填終了圧力値との圧力差を求め、この圧力差に流量計２２から充填カップリング４２までのガス供給経路内の容積（流量計２２から下流のガス供給管路２０及び充填ホース４０の容積）を乗算して充填量補正値を演算する制御プログラム（充填量補正演算手段）が格納されている。また、制御回路３８は、演算した補正量を総充填量から減算することにより、充填ホース４０のガス充填開始前圧力値と充填終了時点での残留圧力の差異による流量誤差を補正する流量補正装置としても機能する。
【００３３】
ディスペンサユニット１８の側面から引出された充填ホース４０は、一端がガス供給管路２０に接続され、他端に充填カップリング４２が連通されている。充填カップリング４２は、作業者が手動操作する手動式三方弁４４と、燃料タンク１４のカップリング４６に結合されるカップリング４８とから構成されている。
【００３４】
手動式三方弁４４は、手動操作用ハンドル４４ａと、ガス供給側のａポートと、ガス吐出側のｂポートと、脱圧側のｃポートとを有する。手動式三方弁４２のａポートには、充填ホース４０が連通されており、ｂポートにはカップリング４８が設けられている。また、手動式三方弁４２のｃポートは、充填終了後にカップリング４８の残圧を外部（大気中または回収経路）に排出するための排気ポートである。
【００３５】
また、燃料タンク１４とカップリング４６とを連通する管路５０には、燃料タンク１４に充填されたガスが充填カップリング４２へ逆流しないように逆止弁５２が配設されている。尚、逆止弁５２の代わりに手動式の開閉弁を設ける構成としても良い。
【００３６】
図２はガス充填開始からガス充填終了までの圧力変化及び流量変化の一例を示すグラフである。尚、図２において、グラフＩは圧力センサ２８により測定された圧力の変化を示し、グラフＩＩは流量計２２により測定された流量の変化を示す。
図２のグラフＩに示されるように、Ｐ１は充填開始前圧力、Ｐ２は充填開始圧力、Ｐ３は充填開始時の定流量制御終了圧力、Ｐ４は定圧上昇制御終了圧力、Ｐ５は充填終了時の定流量制御終了圧力である。
【００３７】
グラフＩは圧力センサ２８により測定された圧力であり、燃料タンク１４に充填される圧力、すなわち、ガス供給管路２０及び充填ホース４０の圧力変化を示している。そして、カップリング４８を燃料タンク１４のカップリング４６に結合させ、手動式三方弁４４のａ，ｂポートを連通させると、充填ホース４０内に残留するガスが燃料タンク１４に供給される。これにより、充填ホース４０内の圧力は、充填開始前圧力Ｐ１から今回充填開始圧力Ｐ２に低下する。
【００３８】
このときの充填開始前の圧力変化ΔＰ（＝Ｐ１−Ｐ２）は、充填開始前圧力Ｐ１と燃料タンク１４の残圧及び容積によって変動する。充填開始前圧力Ｐ１は、前回充填がプリセット充填である場合、一定値ではないので、毎回異なる値になる。また、燃料タンク１４の残圧は、運転者の判断で充填を行うので、毎回異なる値になる。
【００３９】
従って、上記圧力変化ΔＰは、毎回満タン充填を行う場合を除いて変動することになる。しかしながら、この圧力変化ΔＰは、開閉弁２４が閉弁された充填開始前の圧力変化であるので、充填ホース４０から燃料タンク１４へ供給されたガスの流量を流量計２２によって計測することはできない。
【００４０】
また、充填終了後の圧力変化ΔＰ’（＝Ｐ４−Ｐ３）は、制御弁２６の下流の充填による圧力上昇であり、燃料タンク１４内への充填量のほか、同時に充填ホース４０への充填量を含む。そして、充填終了後の圧力変化がΔＰ’（＝Ｐ４−Ｐ３）＞０の場合には、流量計２２によって計測されるが流量計２２より下流のガス供給管路２０及び充填ホース４０への充填量は燃料タンク１４内に入らずガス供給管路２０及び充填ホース４０内に残ることになる。
【００４１】
図２のグラフＩＩに示されるように、Ｑ１は充填開始の流量、Ｑ２は定圧上昇制御開始の流量、Ｑ３は流量上昇分岐点の流量、Ｑ４は絞り開始の流量、Ｑ５は充填終了の流量、Ｑ６は充填終了の流量である。
【００４２】
尚、Ｑ１〜Ｑ２及びＱ５〜Ｑ６は、圧力センサ２８の検出精度を安定的に行うため、低流量による定量制御が行われる。また、Ｑ２〜Ｑ４は定圧上昇制御に応じた流量変化を示す。
【００４３】
ここで、流量計２２により測定された積算流量を充填ホース４０の充填開始圧力と充填終了圧力との圧力差に応じた補正量Ｋの演算方法について説明する。
補正量Ｋは、次式（１）により求まる。
【００４４】
Ｋ＝Ｖ×（Ｐｅ−Ｐｓ）／Ｐａ  …（１）
尚、（１）式のＰａは大気圧、Ｖは流量計２２より下流のガス供給管路２０及び充填ホース４０の内部に形成された流路の幾何容積である。
【００４５】
そして、補正量Ｋが正の場合には、この補正量を流量計２２で測定された積算流量から減算することにより正確な充填量を演算する。また、補正量Ｋが負の場合には、積算流量に補正量を加算して充填量表示値を補正する。
【００４６】
なお、この充填量の補正は、充填終了の直前においての定流量制御を行っているときに行なわれる。
【００４７】
ここで、定圧上昇制御（Ｐ３〜Ｐ４）から定流量制御（Ｐ４〜Ｐ５）への充填制御の切替条件は、残充填量または（定量設定量−現在の充填量）が予め設定された値に達したときであり、充填終了条件は満タン圧力（Ｐ５）または定量設定値（プリセット値）に達したときである。
前述した（１）式は、次のようになる。
【００４８】
Ｋ＝｛Ｖ×（Ｐ−Ｐｅ）／Ｐａ｝−｛Ｖ×（Ｐ−Ｐｓ）／Ｐａ｝…（２）
（２）式のＰは予め設定された設定圧力であり、ここでは満タン圧力である。そのため、この（２）式では、Ｖ×（Ｐ−Ｐｓ）／Ｐａの演算を充填開始直後から行うことができる。そして、充填ホース４０内が満タン圧力から充填開始して充填停止スイッチ３６をオンに操作して充填途中でガス供給を停止しても充填開始時の流量誤差を補正することが可能になる。
【００４９】
また、予め設定する充填ホース４０の内容積（Ｖ）は、通常、設計寸法から既知となるが、以下のように実際の充填量から求めることにより、さらに精度が高まる。
【００５０】
充填ホース４０の圧力を大気圧（Ｐａ）に減圧してから充填開始スイッチ３４を操作することにより、開閉弁２４を開弁し、ガス充填を開始する。このとき、充填カップリング４４のカップリング４８が自動車１２のカップリング４６に結合されていないことを保証するために、カップリングスイッチ３２からの信号の有無により監視する。
【００５１】
そして、満タン圧力（Ｐ５）に達すると、開閉弁２４を閉弁して充填終了し、流量計２２により計測された積算流量をメモリ３９に記憶する。
【００５２】
｛計量値（体積値）／（満タン圧力／大気圧）｝…（３）
この（３）式により流量計２２より下流のガス供給管路２０及び充填ホース４０の幾何容積（Ｖ）を算出し、メモリ３９に記憶する。この演算処理は、幾何容積設定モード等の特定の操作により行う。
【００５３】
さらに、予め圧力に関するガスの圧縮係数データをデータベースに記憶させ、上記（１）（２）式をそのときの圧力に応じて圧縮係数の補正を行うことにより流量補正演算処理の精度が高められる。
【００５４】
ここで、幾何容積設定モードが設定された場合に制御回路３８が実行する制御処理の処理手順（請求項８の記載に相当する）について説明する。
【００５５】
図３は制御回路３８が実行する幾何容積設定モード処理を説明するためのフローチャートである。尚、幾何容積設定モードは、メンテナンス時あるいは充填ホース４０の交換時などで行なわれる。
【００５６】
幾何容積設定モードを設定する場合、例えば、設定操作を行う操作者は、予め手動式三方弁４４のａ，ｂポートを連通させることにより、充填ホース４０内に残留するガスが大気中に放出されて充填ホース４０の圧力を大気圧（Ｐａ）に減圧させる。そして、手動式三方弁４４の手動操作用ハンドル４４ａを操作してｂ，ｃポートを連通させ，ａポートを遮断（閉弁状態）する。このように、充填ホース４０の圧力を大気圧（Ｐａ）にした状態で充填ホース４０の圧力を上限圧力（満タン圧力）まで昇圧させることで、前述した流量計２２から充填カップリング４２までの幾何容積Ｖを正確に算出することが可能になる。
【００５７】
図３に示されるように、制御回路３８は、ステップＳ１（以下「ステップ」を省略する）において、ホース内容積設定モードが設定されたか否かを確認する。Ｓ１で操作者の操作により幾何容積設定モードが設定された場合、Ｓ２に進み、カップリングスイッチ３２がオンかどうかをチェックする。
【００５８】
カップリングスイッチ３２がオンであるときは、カップリング掛け３０に充填カップリング４２が掛けられているものと判断してＳ３に進む。
【００５９】
Ｓ３では、充填開始スイッチ３４がオンかどうかをチェックする。Ｓ３において、充填開始スイッチ３４がオンに操作されると、Ｓ４に進み、圧力センサ２８により測定された圧力値と読み込み、充填ホース４０の圧力が大気圧（Ｐａ）かどうかをチェックする。
【００６０】
Ｓ４において、圧力センサ２８により測定された圧力値が大気圧（Ｐａ）でない場合には、Ｓ５に進み、充填ホース４０の圧力が大気圧（Ｐａ）以上であることを表示すると共に、警報を発して報知する。この場合、操作者は、前述した手動式三方弁４４の手動操作用ハンドル４４ａを開閉操作して充填ホース４０に残留するガスを大気中に放出させて充填ホース４０の圧力が大気圧（Ｐａ）する。
【００６１】
そして、再度、Ｓ２〜Ｓ４の処理を行う。上記Ｓ４において、圧力センサ２８により測定された圧力値が大気圧（Ｐａ）である場合には、Ｓ６に進み、開閉弁２４を開弁させて、充填ホース４０にガスを充填する。
【００６２】
次のＳ７では、圧力センサ２８により測定された圧力値が上限圧力（Ｐ５）に達したかどうかをチェックする。Ｓ７において、圧力センサ２８により測定された圧力値が上限圧力（Ｐ５）に達した時点で、Ｓ８に進み、開閉弁２４を閉弁させて、充填ホース４０へのガス充填を停止する。
【００６３】
そして、Ｓ９では、大気圧から上限圧力（Ｐ５）に達するまでの間に流量計２２によって計測された流量値を読み込む。続いて、Ｓ１０では、前述した（３）式により流量計２２より下流のガス供給管路２０及び充填ホース４０の幾何容積（Ｖ）を算出し、メモリ３９に記憶する。
【００６４】
尚、上記説明では、充填ホース４０の圧力を大気圧（Ｐａ）にした状態で充填ホース４０の圧力を上限圧力（満タン圧力）まで昇圧させることで、前述した流量計２２から充填カップリング４２までの幾何容積Ｖを正確に算出する方法について説明したが、これに限らず、開始圧力を大気圧（Ｐａ）以外の任意の圧力、あるいは上限圧力を満タン圧力以外の任意の圧力（この場合、開始圧力より大きい圧力）に設定することも可能である。
【００６５】
すなわち、流量計２２から充填カップリング４２までのガス供給経路内の容積は、充填カップリング４２を閉弁した状態を維持した状態で、開閉弁２２を閉弁している際において圧力センサ２８により計測された充填前圧力値と、当該状態において開閉弁２４を開弁させた際における圧力センサ２８により計測された充填後圧力値とから、圧力差を演算し、当該圧力差と充填前圧力値から充填後圧力値までに圧力を昇圧させた際に流量計２２で測定された供給量とに基づき求めることができる。
【００６６】
ここで、制御回路３８が実行する充填制御処理の処理手順について説明する。図４は制御回路３８が実行する充填処理を説明するためのフローチャートである。
図４に示されるように、Ｓ１１において、カップリングスイッチ３２がオフになると、充填カップリング４２がカップリング掛け３０から外されたものと判断する。作業者は、充填カップリング４２をカップリング掛け３０から外した後、カップリング４８を燃料タンク１４のカップリング４６に結合させる。
【００６７】
そして、作業者は、手動式三方弁４４の手動操作用ハンドル４４ａを回動操作してａポートとｂポートとを連通させる。これにより、充填ホース４０に残留していたガスが自動車１２の燃料タンク１４に供給され、充填ホース４０の圧力は充填開始前圧力Ｐ１から今回充填開始圧力Ｐ２に低下する。
【００６８】
次のＳ１２では、圧力センサ２８により測定された充填開始時の圧力値（ホース内圧力Ｐｓ＝Ｐ１）を読み込み、メモリ３９に記憶する。このとき、前回の充填処理において、メモリ３９に記憶された充填開始時の圧力値は、消去される。
【００６９】
続いて、Ｓ１３に進み、充填開始スイッチ３４がオンに操作されたかどうかをチェックする。Ｓ１３において、充填開始スイッチ３４がオフのときは、Ｓ１４に移行してカップリングスイッチ３２がオフかどうかをチェックする。Ｓ１４において、カップリングスイッチ３２がオンの場合には、充填カップリング４２がカップリング掛け３０に戻されたものと判断して上記Ｓ１１に戻る。
【００７０】
また、上記Ｓ１４において、カップリングスイッチ３２がオフの場合には、充填カップリング４２がカップリング掛け３０から外されているので、Ｓ１３に戻る。また、上記Ｓ１３において、充填開始スイッチ３４がオンのときは、Ｓ１５に進み、開閉弁２４を開弁させる。これで、圧力発生ユニット１６で生成された高圧ガスがガス供給管路２０及び充填ホース４０及び充填カップリング４２を介して燃料タンク１４に供給される。
【００７１】
次のＳ１６では、充填開始から所定時間が経過するまで定流量制御を行うように制御弁２６の弁開度を制御する。この定流量制御は、図２のグラフＩＩに示すＱ１〜Ｑ２である。
【００７２】
次のＳ１７では、定流量制御において、流量計２２により測定された流量値（計量値）が予め設定された設定量に達したか否かを確認しており、流量計２２により測定された流量値が設定量に達していない場合にはＳ１６に戻り、流量値が設定量となるように制御弁２６の弁開度を制御する。
【００７３】
また、Ｓ１７において、流量計２２により測定された流量値（計量値）が予め設定された設定量に達したときは、Ｓ１８に進み、定圧上昇制御となるように制御弁２６の弁開度を制御する。この定圧上昇制御は、図２のグラフＩに示すＰ３〜Ｐ４である。
【００７４】
次のＳ１９では、流量計２２により測定された流量値（計量値）が定量設定値（プリセット値）から所定設定量（絞り開始から充填終了までの流量）を差し引いた値（プリセット値の直前値）と等しいかどうかをチェックする。Ｓ１９において、流量計２２により測定された流量値が定量設定値から所定設定量を差し引いた値に達していないときは、Ｓ２７に移行して充填停止スイッチ３６がオンに操作されたかどうかをチェックする。
【００７５】
Ｓ２７において、充填停止スイッチ３６がオンに操作されていないときは、上記Ｓ１８に戻り、Ｓ１８，Ｓ１９，Ｓ２７の処理を繰り返す。
【００７６】
また、Ｓ１９において、流量計２２により測定された流量値が定量設定値から所定設定量を差し引いた値に達したときは、Ｓ２０に進み、充填終了時の定流量制御となるように制御弁２６の弁開度を制御する。この定流量制御は、図２のグラフＩＩに示すＱ５〜Ｑ６である。
【００７７】
続いて、Ｓ２１に進み、充填終了時の圧力（Ｐｅ＝Ｐ４）を圧力センサ２８から読み込み、メモリ３９に記憶する。このとき、前回の充填処理において、メモリ３９に記憶された充填終了時の圧力値は、消去される。
【００７８】
次のＳ２２では、充填開始圧力Ｐｓと充填終了圧力Ｐｅとの圧力差に幾何容積Ｖを乗算して圧力差に応じた充填ホース４０に残留するガス量（補正量Ｋ）を演算する。
【００７９】
続いて、Ｓ２３に進み、充填開始から充填終了までの計量値に上記補正量を加減算することにより充填量を算出する。
【００８０】
次のＳ２４では、圧力センサ２８により測定された圧力値が予め設定された上限圧力（燃料タンク１４の許容圧力）に達したかどうかをチェックする。Ｓ２４において、圧力センサ２８により測定された圧力値が予め設定された上限圧力に達していないときは、Ｓ２５に進み、流量計２２により計測された計量値と充填量とが等しいかどうかをチェックする。
【００８１】
Ｓ２５において、流量計２２により計測された計量値と充填量とが等しくないときは、上記Ｓ２４に戻り、再度、圧力センサ２８により測定された圧力値が予め設定された上限圧力に達したかどうかをチェックする。
【００８２】
そして、Ｓ２４において、圧力センサ２８により測定された圧力値が予め設定された上限圧力に達すると、Ｓ２６に進み、開閉弁２４を閉弁させる。これで、燃料タンク１４へのガス充填処理が終了する。
【００８３】
また、上記Ｓ２７において、充填停止スイッチ３６がオフであるときは、作業者がガス充填を中断したものと判断してＳ２８に進み、開閉弁２４を閉弁させる。続いて、Ｓ２９に進み、充填終了時の圧力（Ｐｅ＝Ｐ４）を圧力センサ２８から読み込み、メモリ３９に記憶する。このとき、前回の充填処理において、メモリ３９に記憶された充填終了時の圧力値は、消去される。
【００８４】
そして、Ｓ３０で充填開始圧力Ｐｓと充填終了圧力Ｐｅとの圧力差に応じた流量計２２より下流のガス供給管路２０及び充填ホース４０に残留するガス量（補正量Ｋ）を演算する。続いて、Ｓ３１に進み、充填開始から充填終了までの計量値に上記補正量を加算または減算した充填量を算出する。
【００８５】
このように、充填開始前と充填終了後の流量計２２より下流のガス供給管路２０及び充填ホース４０に残留するガス量の差を演算し、この値を補正量Ｋとして流量計２２により計量された総流量値から減算（Ｋが負の場合には加算）することにより流量計２２より下流のガス供給管路２０及び充填ホース４０に残留するガス量の差異による誤差を無くすため、流量計２２より下流のガス供給管路２０及び充填ホース４０の残圧が毎回異なるプリセット充填を行う場合も満タン充填を連続させる場合と同様により高精度な充填が可能になる。
【００８６】
ここで、変形例１について説明する。図５は制御回路３８が実行する充填処理の変形例１を説明するためのフローチャートである。
図５において、Ｓ４１〜Ｓ４６の処理は、前述した図４のＳ１１〜Ｓ１６と同一であるので、その説明を省略する。
【００８７】
Ｓ４７では、充填開始前圧力（Ｐｓ１＝Ｐ１）を圧力センサ２８から読み込み、メモリ３９に記憶する。このとき、前回の充填処理において、メモリ３９に記憶された充填開始時の圧力値は、消去される。
【００８８】
次のＳ４８では、充填開始前圧力Ｐｓ１（＝Ｐ１）と予め設定した満タン圧力（任意に設定した圧力でもよい）Ｐとの圧力差（Ｐ−Ｐ１）に幾何容積Ｖを乗算して圧力差に応じた流量計２２より下流のガス供給管路２０及び充填ホース４０に残留するガス量（補正量Ｋ）を演算する。
【００８９】
続いて、Ｓ４９に進み、カップリング４８の結合前（充填開始前）から開閉弁２４の開弁（充填開始）までの計量値に上記補正量を加算または減算した充填量を算出する。
【００９０】
次のＳ５０では、定流量制御において、流量計２２により測定された流量値（計量値）が予め設定された設定量に達したか否かを確認しており、流量計２２により測定された流量値が設定量に達していない場合にはＳ５１に移行して流量値が設定量となるように制御弁２６の弁開度を定流量制御する。
【００９１】
そして、上記Ｓ５０において、流量計２２により測定された流量値（計量値）が予め設定された設定量に達したときは、Ｓ５２に進み、定圧上昇制御となるように制御弁２６の弁開度を制御する。この定圧上昇制御は、図２のグラフＩに示すＰ３〜Ｐ４である。
【００９２】
次のＳ５３では、流量計２２により測定された流量値（計量値）が定量設定値（プリセット値）から所定設定量（絞り開始から充填終了までの流量）を差し引いた値（プリセット値の直前値）と等しいかどうかをチェックする。Ｓ５３において、流量計２２により測定された流量値が定量設定値から所定設定量を差し引いた値に達していないときは、Ｓ６１に移行して充填停止スイッチ３６がオンに操作されたかどうかをチェックする。
【００９３】
Ｓ６１において、充填停止スイッチ３６がオンに操作されていないときは、上記Ｓ５２に戻り、Ｓ５２，Ｓ５３，Ｓ６１の処理を繰り返す。
【００９４】
また、上記Ｓ５３において、流量計２２により測定された流量値が定量設定値から所定設定量を差し引いた値に達したときは、Ｓ５４に進み、充填終了時の定流量制御となるように制御弁２６の弁開度を制御する。この定流量制御は、図２のグラフＩＩに示すＱ５〜Ｑ６である。
【００９５】
続いて、Ｓ５５に進み、充填終了時の圧力（Ｐｅ＝Ｐ４）を圧力センサ２８から読み込み、メモリ３９に記憶する。このとき、前回の充填処理において、メモリ３９に記憶された充填終了時の圧力値は、消去される。
【００９６】
次のＳ５６では、充填終了圧力Ｐｅと予め設定した満タン圧力Ｐとの圧力差に幾何容積Ｖを乗算して圧力差（Ｐ−Ｐｅ）に応じた流量計２２より下流のガス供給管路２０及び充填ホース４０に残留するガス量（補正量Ｋ）を演算する。
【００９７】
続いて、Ｓ５７に進み、充填終了時の計量値に上記補正量を加算または減算した充填量を算出する。
【００９８】
尚、Ｓ５８〜Ｓ６０は、前述した図４のＳ２４〜Ｓ２６と同一であるので、説明を省略する。これで、一連の充填制御処理は終了する。
【００９９】
また、上記Ｓ６１において、充填停止スイッチ３６がオンであるときは、作業者がガス充填を中断したものと判断してＳ６２に進み、開閉弁２４を閉弁させる。続いて、Ｓ６３に進み、充填停止スイッチ３６がオンに操作されたときの充填停止圧力Ｐを圧力センサ２８から読み込み、メモリ３９に記憶する。このとき、前回の充填処理において、メモリ３９に記憶された充填停止時の圧力値は、消去される。
【０１００】
そして、Ｓ６４では、充填停止スイッチ３６がオンに操作されたときの充填停止圧力Ｐと充填開始圧力Ｐｓ２との圧力差に幾何容積Ｖを乗算して圧力差（Ｐ−Ｐｓ２）に応じた流量計２２より下流のガス供給管路２０及び充填ホース４０に残留するガス量（補正量Ｋ）を演算する。続いて、Ｓ６５に進み、充填開始から充填停止までの計量値に上記補正量を加算または減算した充填量を算出する。
【０１０１】
このように、充填開始前の流量計２２より下流のガス供給管路２０及び充填ホース４０に残留するガス量を演算し、且つ充填停止後の流量計２２より下流のガス供給管路２０及び充填ホース４０に残留するガス量を演算して、充填開始前と充填停止後の流量計２２より下流のガス供給管路２０及び充填ホース４０の残量を個別に求めて補正することにより、流量計２２により計量された流量値を２回に分けて補正することができる。よって、充填途中で充填停止操作を行っても少なくとも充填開始時の流量計２２より下流のガス供給管路２０及び充填ホース４０に残留するガス量の差異による誤差を無くすことが可能になるため、残圧が毎回異なるプリセット充填を行う場合も満タン充填を連続させる場合と同様により高精度な充填が可能になる。
【０１０２】
ここで、変形例２について説明する。図６は制御回路３８が実行する充填処理の変形例２を説明するためのフローチャートである。
図６において、Ｓ７１〜Ｓ８０の処理は、前述した図５のＳ４１〜Ｓ５０と同一であるので、説明を省略する。
【０１０３】
次のＳ８０では、定流量制御において、流量計２２により測定された流量値（計量値）が予め設定された設定量に達したか否かを確認しており、流量計２２により測定された流量値が設定量に達していない場合にはＳ８１に移行して圧力センサ２８から現在の圧力（Ｐｓ２’）を読み込み、メモリ３９に記憶する。このとき、前回の充填処理において、メモリ３９に記憶された充填開始時の圧力値は、消去される。
【０１０４】
次のＳ８２では、Ｓ７７で読み込んだ前回補正時の圧力ＰとＳ８１で読み込んだ現時点における圧力Ｐｓ２’との圧力差（Ｐ−Ｐｓ２’）に幾何容積Ｖを乗算して圧力差に応じた流量計２２より下流のガス供給管路２０及び充填ホース４０に残留するガス量（補正量Ｋ）を演算する。
【０１０５】
続いて、Ｓ８３に進み、開閉弁２４の開弁（充填開始）から現在までの計量値に上記補正量を加算または減算した充填量を算出する。そして、次のＳ８４では、メモリ３９に記憶された充填開始圧力Ｐｓ２の値をＳ８１で読み込んだ圧力Ｐｓ２’に更新してＳ８０に戻る。
【０１０６】
そして、上記Ｓ８０において、流量計２２により測定された流量値（計量値）が予め設定された設定量に達したときは、Ｓ８５に進み、定圧上昇制御となるように制御弁２６の弁開度を制御する。この定圧上昇制御は、図２のグラフＩに示すＰ３〜Ｐ４である。
【０１０７】
次のＳ８６では、流量計２２により測定された流量値（計量値）が定量設定値（プリセット値）から所定設定量（絞り開始から充填終了までの流量）を差し引いた値（プリセット値の直前値）と等しいかどうかをチェックする。Ｓ８６において、流量計２２により測定された流量値が定量設定値から所定設定量を差し引いた値に達していないときは、Ｓ８７に移行して充填停止スイッチ３６がオンに操作されたかどうかをチェックする。
【０１０８】
Ｓ８７において、充填停止スイッチ３６がオンに操作されていないときは、Ｓ８８に進み、圧力センサ２８から現在の圧力（Ｐｓ２’）を読み込み、メモリ３９に記憶する。このとき、前回の充填処理において、メモリ３９に記憶された圧力値は、消去される。
【０１０９】
次のＳ８９では、Ｓ８１で読み込んだ圧力ＰとＳ８８で読み込んだ圧力Ｐｓ２’との圧力差（Ｐ−Ｐｓ２’）に幾何容積Ｖを乗算して圧力差に応じた流量計２２より下流のガス供給管路２０及び充填ホース４０に残留するガス量（補正量Ｋ）を演算する。
【０１１０】
続いて、Ｓ９０に進み、開閉弁２４の開弁（充填開始）から現在までの計量値に上記補正量を加算または減算した充填量を算出する。そして、次のＳ９１では、メモリ３９に記憶された圧力Ｐｓ２の値をＳ８８で読み込んだ圧力Ｐｓ２’に更新してＳ８５に戻る。
【０１１１】
従って、定圧上昇制御を行っている間は、上記Ｓ８５〜Ｓ９１の処理を繰り返す。そして、Ｓ８６において、流量計２２により測定された流量値が定量設定値から所定設定量を差し引いた値に達したときは、Ｓ９２に進み、充填終了時の定流量制御となるように制御弁２６の弁開度を制御する。この定流量制御は、図２のグラフＩＩに示すＱ５〜Ｑ６である。
【０１１２】
続いて、Ｓ９３に進み、充填終了時の圧力（Ｐｅ１＝Ｐ４）を圧力センサ２８から読み込み、メモリ３９に記憶する。このとき、前回の充填処理において、メモリ３９に記憶された充填終了時の圧力値は、消去される。
【０１１３】
次のＳ９４では、充填終了時の圧力Ｐｅ１と予め設定された満タン圧力Ｐとの圧力差に幾何容積Ｖを乗算して圧力差（Ｐ−Ｐｅ１）に応じた流量計２２より下流のガス供給管路２０及び充填ホース４０に残留するガス量（補正量Ｋ）を演算する。
【０１１４】
続いて、Ｓ９５に進み、充填終了時の計量値に上記補正量を加算または減算した充填量を算出する。次のＳ９６では、メモリ３９に記憶された充填終了圧力Ｐｅ２の値をＳ９３で読み込んだ充填終了圧力Ｐｅ２’に更新する。
【０１１５】
次のＳ９７では、圧力センサ２８により測定された圧力値が予め設定された上限圧力（燃料タンク１４の許容圧力）に達したかどうかをチェックする。Ｓ９７において、圧力センサ２８により測定された圧力値が予め設定された上限圧力に達していないときは、Ｓ９８に進み、流量計２２により計測された計量値と充填量とが等しいかどうかをチェックする。
【０１１６】
上記Ｓ９８において、流量計２２により計測された計量値と充填量とが等しくないときは、Ｓ９９に進み、圧力センサ２８から充填終了時の圧力Ｐｅ２’を読み込み、メモリ３９に記憶する。このとき、前回の充填処理において、メモリ３９に記憶された充填終了時の圧力値は、消去される。
【０１１７】
次のＳ１００では、予め設定された満タン圧力Ｐと現在の圧力Ｐｅ２’との圧力差に幾何容積Ｖを乗算して圧力差（Ｐ−Ｐｅ２’）に応じた流量計２２より下流のガス供給管路２０及び充填ホース４０に残留するガス量（補正量Ｋ）を演算する。
【０１１８】
続いて、Ｓ１０１に進み、充填終了時の計量値に上記補正量を加算または減算した充填量を算出する。次のＳ１０２では、メモリ３９に記憶された充填終了圧力Ｐｅ２の値をＳ９９で読み込んだ充填終了圧力Ｐｅ２’に更新して、Ｓ９７に戻る。
【０１１９】
また、上記Ｓ９７において、圧力センサ２８により測定された圧力値が予め設定された上限圧力に達したとき、あるいは、Ｓ９８において、流量計２２により計測された計量値と充填量とが等しいときは、Ｓ１０３に進み、開閉弁２４を閉弁させる。これで、一連の充填制御処理は終了する。
【０１２０】
また、上記Ｓ８７において、充填停止スイッチ３６がオンに操作されたときは、ガス充填を中断させるものと判断してＳ１０４に進み、開閉弁２４を閉弁させる。次のＳ１０５では、圧力センサ２８から充填終了時の圧力Ｐｅ２’を読み込み、メモリ３９に記憶する。このとき、前回の充填処理において、メモリ３９に記憶された充填終了時の圧力値は、消去される。
【０１２１】
次のＳ１０６では、充填終了時の圧力Ｐと現在の圧力Ｐｅ２’との圧力差に幾何容積Ｖを乗算して圧力差（Ｐ−Ｐｅ２’）に応じた流量計２２より下流のガス供給管路２０及び充填ホース４０に残留するガス量（補正量Ｋ）を演算する。
【０１２２】
続いて、Ｓ１０７に進み、充填終了時の計量値に上記補正量を加算または減算した充填量を算出する。
【０１２３】
このように、流量計２２より下流のガス供給管路２０及び充填ホース４０に残留するガス量（補正量Ｋ）に応じた流量補正処理は、常時行うようにすれば、何時充填処理が中断されてもその時点での流量計２２より下流のガス供給管路２０及び充填ホース４０の圧力に応じた補正量を算出して流量誤差をなくすことが可能になり、ガス充填の流量をより高精度に測定しながら燃料タンク１４へガス充填を行うことができる。
【０１２４】
このように、充填開始前の流量計２２より下流のガス供給管路２０及び充填ホース４０に残留するガス量を演算し、且つ充填終了後の流量計２２より下流のガス供給管路２０及び充填ホース４０に残留するガス量を演算して、充填開始前と充填終了後の流量計２２より下流のガス供給管路２０及び充填ホース４０の残量を個別に求めて補正することにより、流量計２２により計量された流量値を２回に分けて補正することができ、充填ホース４０に残留するガス量の差異による誤差を無くすことが可能になるため、流量計２２より下流のガス供給管路２０及び充填ホース４０の残圧が毎回異なるプリセット充填を行う場合も満タン充填を連続させる場合と同様により高精度な充填が可能になる。
尚、上記実施例では、都市ガスを圧縮した圧縮天然ガス（ＣＮＧ）を供給する場合を一例として挙げたが、これに限らず、例えばブタン、プロパン等のガスを供給するのにも適用できるのは勿論である。
【０１２５】
又、上記実施例では、自動車１２の燃料タンク１４に圧縮されたガスを充填する場合を一例として挙げたが、これに限らず、他の容器等に圧縮されたガスを供給する装置にも適用でき、あるいは単に圧縮されたガスを他の場所に給送するための管路途中に設置する構成の装置にも適用できるのは勿論である。
【０１２６】
【発明の効果】
上述の如く、請求項１記載の発明によれば、圧力測定部により測定されたガス充填開始前圧力値と充填終了時点のガス充填終了圧力値との圧力差を求め、この圧力差に流量計から充填カップリングまでのガス供給経路内の容積を乗算して充填量補正値を演算する充填量補正演算手段と、流量計により測定されたガスの供給量と充填量補正演算手段により演算された充填量補正値とから充填カップリングから充填された充填量を演算する充填量演算手段と、を備えたため、充填開始前圧力と充填終了時圧力に差があっても流量計から充填カップリングまでのガス供給経路内の圧力の差異による流量誤差を無くすように流量補正することができる。
【０１２７】
上記請求項２記載の発明によれば、圧力測定部により測定されたガス充填開始前圧力値と任意に設定した圧力値との圧力差を求め、この圧力差に流量計から充填カップリングまでのガス供給経路内の容積を乗算して開始前充填量補正値を演算する充填量補正演算手段と、流量計により測定されたガスの供給量と充填量補正演算手段により演算された充填量補正値とから充填カップリングから充填された充填量を演算する充填量演算手段と、を備えたため、充填開始前圧力が変動しても開始前充填量補正値を求めて流量計から充填カップリングまでのガス供給経路内の圧力の差異による流量誤差を無くすように流量補正することができる。
【０１２８】
上記請求項３記載の発明によれば、圧力測定部により測定された充填終了時点のガス充填終了圧力値と任意に設定した圧力値との圧力差を求め、この圧力差に流量計から充填カップリングまでのガス供給経路内の容積を乗算して終了時充填量補正値を演算する充填量補正演算手段と、流量計により測定されたガスの供給量と充填量補正演算手段により演算された充填量補正値とから充填カップリングから充填された充填量を演算する充填量演算手段と、を備えため、充填終了時圧力が変動しても終了時充填量補正値を求めて流量計から充填カップリングまでのガス供給経路内の残留圧力の差異による流量誤差を無くすように流量補正することができる。
【０１２９】
上記請求項４記載の発明によれば、充填終了時におけるガス充填量の所定量手前から充填終了時までの間に充填量補正演算を行うため、流量計から充填カップリングまでのガス供給経路内の圧力の差異による流量を正確に補正することができる。
【０１３０】
上記請求項５記載の発明によれば、ガスの供給流量を制御するためにガス供給経路に設けられた制御弁と、制御弁によるガスの供給流量を制御する供給量制御手段とを設け、供給量制御手段は、充填終了時におけるガス充填量の所定量手前からガスの供給量を所定の流量に低下させるため、できるだけ低い流量で一定制御することによって、ディスペンサーの圧力測定部と燃料タンクとの圧力差を極力等しくし、流量計から充填カップリングまでのガス供給経路内に充填される充填量を正確に測定することができるので、充填開始前圧力と充填終了時圧力に差があっても流量を正確に補正することができる。
【０１３１】
上記請求項６記載の発明によれば、ガスの供給圧力を制御するためにガス供給経路に設けられた制御弁と、制御弁によるガスの供給圧力を制御する供給圧力制御手段とを設け、供給圧力制御手段は、充填終了時におけるガス充填量の所定量手前からガスの供給圧力を所定の圧力に調節するため、できるだけ小さな弁開度で一定制御することによって、ディスペンサーの圧力測定部と燃料タンクとの圧力差を極力等しくし、充填終了時における流量測定を正確に行うことで、充填終了時圧力が変動しても流量を正確に補正することができる。
【０１３２】
上記請求項７記載の発明によれば、ガスの供給流量を制御するためにガス供給経路に設けられた制御弁と、制御弁によるガスの供給流量を制御する供給量制御手段とを設け、供給量制御手段は、充填終了時におけるガス充填量の所定量手前からガスの供給量を徐々に低下させるため、できるだけ低い流量で一定制御することによって、ディスペンサーの圧力測定部と燃料タンクとの圧力差を極力等しくし、充填終了時における流量測定を正確に行うことで、充填終了時圧力が変動しても流量を正確に補正することができる。
【０１３３】
上記請求項８記載の発明によれば、流量計から充填カップリングまでのガス供給経路内の容積は、充填カップリングを閉弁した状態を維持した状態で、開閉弁を閉弁している際において圧力測定部により計測された充填前圧力値と、当該状態において開閉弁を開弁させた際における圧力測定部により計測された充填後圧力値とから、圧力差を演算し、当該圧力差と充填前圧力値から充填後圧力値までに圧力を昇圧させた際に流量計で測定された供給量とに基づき求めるため、流量計から充填カップリングまでのガス供給経路内の容積を正確に求めて、圧力差に伴う充填量の誤差を正確に補正することができる。
【０１３４】
上記請求項９記載の発明によれば、充填量補正演算手段が演算した補正量を流量計で測定された供給量から減算するため、充填開始前圧力と充填終了時圧力に差があっても流量計から充填カップリングまでのガス供給経路内の圧力の差異による流量誤差を無くすように流量補正することができる。
【図面の簡単な説明】
【図１】本発明になるガス供給装置のシステム構成を示す構成図である。
【図２】ガス充填開始からガス充填終了までの圧力変化及び流量変化の一例を示すグラフである。
【図３】制御回路３８が実行する幾何容積設定モード処理を説明するためのフローチャートである。
【図４】制御回路３８が実行する充填処理を説明するためのフローチャートである。
【図５】制御回路３８が実行する充填処理の変形例１を説明するためのフローチャートである。
【図６】制御回路３８が実行する充填処理の変形例２を説明するためのフローチャートである。
【符号の説明】
１０  ガス供給装置
１２  自動車
１４  燃料タンク
１６  圧力発生ユニット
１８ディスペンサユニット
２０  ガス供給管路
２２  流量計
２４  開閉弁
２６  制御弁
２８  圧力センサ
３０  カップリング掛け
３２  カップリングスイッチ
３４  充填開始スイッチ
３６  充填停止スイッチ
３８  制御回路
３９  メモリ
４０  充填ホース
４２  充填カップリング
４４  手動式三方弁
４６  カップリング
４８  カップリング
５２  逆止弁
【図１】
2004257525.tif 000003
【図２】
2004257525.tif 000004
【図３】
2004257525.tif 000005
【図４】
2004257525.tif 000006
【図５】
2004257525.tif 000007
【図６】
2004257525.tif 000008